(57)【要約】      （修正有）【課題】補助ハウジングの堅固な配置構造を具現できる電動機駆動装置を提供する。【解決手段】電動機駆動装置１００は、内部に回路部を収容しており、上側の一部分に露出部１１１を形成するメインハウジング１１０、露出部に締結されるＩＯカバー及びメインハウジングの一側面に締結される補助ハウジング１３０を含む。【選択図】図５
2019134666.tif 000002
【特許請求の範囲】
【請求項１】
内部に回路部を収容しており、上側の一部分に露出部を形成するメインハウジング；
前記露出部に締結されるＩＯカバー；及び、
前記メインハウジングの一側面に締結される補助ハウジング；を含む電動機駆動装置。
【請求項２】
前記メインハウジングは、ヒートシンクを内部に収容する、請求項１に記載の電動機駆動装置。
【請求項３】
前記メインハウジングの側面は、
下端部にヒートシンクと結合する締結溝；及び、
外気を内部へ流入させるための複数の通気孔を含む、請求項２に記載の電動機駆動装置。
【請求項４】
前記メインハウジングは、少なくとも１つ以上の第１の結合孔を含み、
前記補助ハウジングは、前記第１の結合孔の数と同じ数を有し、それぞれ前記第１の締結孔と対応する位置に形成される第２の結合孔を含む、請求項１に記載の電動機駆動装置。
【請求項５】
前記メインハウジングは、
前記第１の結合孔が形成された側面で上側へ開口された強度補強溝；及び、
前記強度補強溝と対応する形状を有する第３の結合孔を含む強度補強片をさらに含み、
前記第３の結合孔は、前記第１の結合孔と対応する位置に形成される、請求項４に記載の電動機駆動装置。
【請求項６】
前記補助ハウジングは、
前記メインハウジングと結合する側面部；
前記側面部の両側面に互いに対向するように形成される一対のブラケット；及び、
前記一対のブラケットの下側面にそれぞれ形成される底部；を含み、
前記底部は、第４の結合孔を含む、請求項１に記載の電動機駆動装置。
【請求項７】
前記補助ハウジングは、
前記一対のブラケットと結合する補助キャップをさらに含む、請求項６に記載の電動機駆動装置。
【請求項８】
前記補助キャップは、
前記底部と対向するように前記補助ハウジングの上側に締結される第１のキャップ；及び、
前記側面部と対向するように前記一対のブラケットと結合する第２のキャップ；を含む、請求項７に記載の電動機駆動装置。
【請求項９】
前記一対のブラケット各々は、
前記第１のキャップと結合するために、上側で互いに対向するように折り曲げられる第１の折曲面；及び、
前記第２のキャップと結合するために、側面で互いに対向するように折り曲げられる第２の折曲面；を含む、請求項８に記載の電動機駆動装置。
【請求項１０】
前記メインハウジングは、露出面に端子台が配置され、
前記端子台に一端が連結されて、他端は、前記補助ハウジングと連結される接地ワイヤをさらに含む、請求項１に記載の電動機駆動装置。
【発明の詳細な説明】
【技術分野】
【０００１】
本発明は、構造を改善した電動機駆動装置に関する。
【背景技術】
【０００２】
通常、電動機駆動装置は、外部電源から供給された電力を電圧と周波数を可変させて電動機に供給することで、電動機の速度を高効率に制御できる装置を言う。
【０００３】
図１は、従来の電動機駆動装置の斜視図であり、図２は、図１においてＩＯカバーが除去されたことを示した図面である。
【０００４】
図１及び図２を参照すれば、従来の電動機駆動装置１は、ミドルベース１１の下側にヒートシンク１２が露出して配置され、前記ミドルベース１１の上側に未図示の回路部が配置されて、前記回路部を収容するメインハウジング１３を含んでいてもよい。
【０００５】
ここで、前記メインハウジング１３は、上側面にＩＯ回路部を開閉するためのＩＯカバー１４が配置されてもよい。
【０００６】
また、前記メインハウジング１３の一側、すなわち、前記ＩＯカバー１４に隣接した前記メインハウジング１３の側面には、外部からの配線等を収容できる補助ハウジング１５が配置されてもよい。
【０００７】
前記補助ハウジング１５は、前記ヒートシンク１２の上部に第１のねじ結合１５ａして締結され、前記ＩＯカバー１４は、前記補助ハウジング１５の一側面に配置される締結ブラケット１６に第２のねじ結合１６ａして締結される。
【０００８】
かかる構造下で、従来の電動機駆動装置１は、次のような問題を抱いている。
【０００９】
第一、ヒートシンク１２のような金属部品に補助ハウジング１５を締結しなければならず、このような金属材質との締結構造を形成するために別途構造を要するため、製品費用の上昇及び組み立て時間が遅延する問題がある。
【００１０】
第二、上記のように、補助ハウジング１５を結合するためにヒートシンク１２の大きさを小型化することができないため、全体的な製品の小型化及び軽量化を具現することができない。
【００１１】
第三、前記補助ハウジング１５は、ヒートシンク１２だけに第１のねじ結合１５ａすることで、電動機駆動装置１に配置される。かかる構造は、補助ハウジング１５に収容される配線又はその他荷重に対して弱い構造であり得る。すなわち、前記補助ハウジング１５の上側から下側への荷重は、比較的に保障されるものの、側方向への荷重（特に、剪断応力）に弱く、破損のおそれがある。
【発明の概要】
【発明が解決しようとする課題】
【００１２】
上記のような問題を解決するために、本発明の目的は、メインハウジングと補助ハウジングとの結合構造を改善することで部品の加工費を節減し、製造時間を短縮して、製品コストを節減させることができ、補助ハウジングの堅固な配置構造を具現できる電動機駆動装置を提供することにある。
【課題を解決しようとする手段】
【００１３】
上記目的を達成するために、本発明は、内部に回路部を収容しており、上側の一部分に露出部を形成するメインハウジング；前記露出部に締結されるＩＯカバー；及び前記メインハウジングの一側面に締結される補助ハウジング；を含む電動機駆動装置を提供する。
【００１４】
また、前記メインハウジングは、ヒートシンクを内部に収容するように形成されてもよい。
【００１５】
また、前記メインハウジングの側面の下端部には、ヒートシンクと結合するための締結溝が形成されて、前記メインハウジングの側面中央部又は上側部には、外気が内部へ流動するように複数の通気孔が形成されてもよい。
【００１６】
また、前記メインハウジングは、少なくとも１つ以上の第１の結合孔が形成されて、前記補助ハウジングは、前記第１の結合孔に対応する位置に少なくとも１つ以上の第２の結合孔が形成されてもよい。
【００１７】
また、前記メインハウジングは、前記第１の結合孔が形成された側面に上側へ開口された強度補強溝が形成され、前記強度補強溝に対応する大きさで形成されて、前記第１の結合孔と対応する位置に第３の結合孔が形成される強度補強片をさらに含んでいてもよい。
【００１８】
また、前記補助ハウジングは、前記メインハウジングと結合する側面部；前記側面部の両側面で互いに対向するように形成される一対のブラケット；及び前記一対のブラケットの下側面にそれぞれ形成され、底面又は他の電子機器と結合するための第４の結合孔が形成される底部；を含んでいてもよい。
【００１９】
また、前記補助ハウジングは、前記側面部と一対のブラケットが形成する前記補助ハウジングの上側に締結される補助キャップをさらに含んでいてもよい。
【００２０】
また、前記補助キャップは、前記底部と対向するように前記補助ハウジングの上側に締結される第１のキャップ；及び前記側面部と対向するように前記一対のブラケットに締結される第２のキャップ；を含んでいてもよい。
【００２１】
また、前記一対のブラケット各々は、前記第１のキャップと結合するために、上側で互いに対向するように折り曲げられる第１の折曲面；及び前記第２のキャップと結合するために、側面で互いに対向するように折り曲げられる第２の折曲面；を含んでいてもよい。
【００２２】
また、前記メインハウジングの露出面には端子台が配置され、接地ワイヤの一端は、前記端子台に連結されて、他端は、前記補助ハウジングに連結されてもよい。
【発明の効果】
【００２３】
本発明は、補助ハウジングが構造的に強度を補強したメインハウジング及び／又は底面と堅固に結合するため、製品の耐久性が向上する効果がある。
【００２４】
また、本発明は、補助ハウジングをメインハウジングに締結するため、ヒートシンクの小型化を図ることができ、これによって、製品の軽量化と小型化及び原価低減を図ることができる。
【図面の簡単な説明】
【００２５】
【図１】従来の電動機駆動装置の斜視図。
【図２】図１においてＩＯカバーが除去されたことを示した図面。
【図３】本発明の実施形態による電動機駆動装置の斜視図。
【図４】本発明の実施形態による電動機駆動装置のメインハウジングに強度補強片が締結されることを示した図面。
【図５】本発明の実施形態による電動機駆動装置の補助ハウジングが締結されることを示した図面。
【図６】本発明の実施形態による電動機駆動装置においてワイヤが接地されることを示した図面。
【発明を実施するための形態】
【００２６】
以下では、本発明の好ましい実施形態を添付の図面を参照して詳説する。
【００２７】
特に定義されない限り、本明細書のあらゆる用語は、当業者が理解する用語の一般的な意味と同様であり、もし本明細書で使われた用語が該用語の一般的な意味と衝突する場合には、本明細書で使われた定義に従う。
【００２８】
但し、以下に記述する発明は、本発明の権利範囲を限定するためのものではなく、本発明の実施形態を説明するためのものであり、全明細書における同じ参照番号は、同じ構成要素を示す。
【００２９】
図３は、本発明の実施形態による電動機駆動装置の斜視図、図４は、本発明の実施形態による電動機駆動装置のメインハウジングに強度補強片が締結されることを示した図面、図５は、本発明の実施形態による電動機駆動装置の補助ハウジングが締結されることを示した図面であり、図６は、本発明の実施形態による電動機駆動装置においてワイヤが接地されることを示した図面である。
【００３０】
図３〜図６を参照すれば、本発明の一実施形態による電動機駆動装置１００は、大きくメインハウジング１１０、ＩＯカバー１２０及び補助ハウジング１３０を含んでいてもよい。
【００３１】
メインハウジング１１０は、内部に回路部を収容しており、上側の一部分に露出部１１１が形成されてもよい。
【００３２】
具体的には、メインハウジング１１０は、内部の空いている立方体又は直方体であってもよい。
【００３３】
また、メインハウジング１１０の下側は、開口されており、ヒートシンクを内部に収容することができ、このため、メインハウジング１１０の側面の下端部には、ヒートシンクのフック部と結合するための締結溝１１２が形成されてもよい。
【００３４】
また、メインハウジング１１０の側面中央部又は上部には、内部の回路部で発生する熱気が排出されるか、外気がメインハウジング１１０の内部へ流入するように、複数の通気孔１１３が形成されてもよい。
【００３５】
メインハウジング１１０の上面は、上述したように、一側に露出部１１１が形成されて、他側にコントロールパネル１１４が配置されてもよい。  
【００３６】
露出部１１１には、端子台１１５とＩＯボード１１６が一部又は全部露出していてもよい。
【００３７】
ＩＯカバー１２０は、露出部１１１に締結されてもよく、このようなＩＯカバー１２０との締結は、フック結合、ボルト結合等になってもよい。ボルト結合の場合、メインハウジング１１０の露出部１１１には、ＩＯカバー締結孔１１７が少なくとも１つ以上形成されてもよい。
【００３８】
補助ハウジング１３０は、露出部１１１が形成されたメインハウジング１１０の一側面に締結されてもよい。
【００３９】
具体的には、メインハウジング１１０は、少なくとも１つ以上の第１の結合孔１１８が形成され、補助ハウジング１３０は、第１の結合孔１１８に対応する位置に少なくとも１つ以上の第２の結合孔１３１ａが形成されて、ねじ等で結合してもよい。
【００４０】
従って、メインハウジング１１０の側面に締結される補助ハウジング１３０は、１次に固定されてもよい。
【００４１】
また、メインハウジング１１０は、第１の結合孔１１８が設けられた側面に強度補強溝１１９を含む。また、メインハウジング１１０は、強度補強溝１１９と対応する大きさの強度補強片１４０をさらに含む。強度補強片１４０は、第１の結合孔１１８と対応する位置に第３の結合孔１４１が形成される。強度補強溝１１９と強度補強片１４０は、メインハウジング１１０と補助ハウジング１３０がさらに堅固に締結されるようにする。
【００４２】
ここで、補助ハウジング１３０は、メインハウジング１１０と結合する側面部１３１と、側面部１３１の両側面で互いに対向するように形成される一対のブラケット１３２と、一対のブラケット１３２の下側面にそれぞれ形成されて、底面又は他の電子機器と結合するための第４の結合孔１３３ａが形成される底部１３３を含んでいてもよい。
【００４３】
従って、地面又は他の電子機器の上側に締結される補助ハウジング１３０は、２次に堅固に固定されてもよい。
【００４４】
また、補助ハウジング１３０は、外部ワイヤ等を収容するための空間を形成するために、側面部１３１と一対のブラケット１３２が形成する補助ハウジング１３０の上側に締結される補助キャップ１３４、１３５をさらに含んでいてもよい。
【００４５】
ここで、補助キャップ１３４、１３５は、底部１３３と対向するように補助ハウジング１３０の上側に締結される第１のキャップ１３４と、側面部１３１と対向するように一対のブラケット１３２に締結される第２のキャップ１３５を含んでいてもよい。
【００４６】
また、補助キャップ１３４、１３５を固定するために、一対のブラケット１３２各々は、第１のキャップ１３４と結合するために、上側で互いに対向するように折り曲げられる第１の折曲面１３６と、第２のキャップ１３５と結合するために、側面で互いに対向するように折り曲げられる第２の折曲面１３７を含んでいてもよい。
【００４７】
すなわち、第１の折曲面１３６と第２の折曲面１３７には、それぞれ第１のキャップ１３４と第２のキャップ１３５を結合するための結合孔１３６ａ、１３７ａが形成されてもよく、また、第１のキャップ１３４と第２のキャップ１３５は、
2019134666.tif 000003
字に折り曲げられた単一板又は別の板材で形成されてもよい。
【００４８】
また、補助ハウジング１３０は、耐久性に優れた金属材質で形成されてもよく、両方向で堅固に固定される。このような場合、メインハウジング１１０の露出面には端子台１１５が配置される。また、接地ワイヤ１５０の一端は、端子台１１５に連結されて、他端は、補助ハウジング１３０に連結されてもよい。
【００４９】
また、側面部１３１にはメインハウジング１１０に配置されるクーリングファン１０が露出するための第１の開口面１３１ｂを含んでいてもよく、後述する接地ワイヤ１５０がメインハウジング１１０から補助ハウジング１３０へ抜けられる第２の開口面１３１ｃを含んでいてもよい。
【００５０】
このような接地ワイヤ１５０の配置は、結局、使用者の便宜性を増加させることができる。
【００５１】
要約すると、本発明は、メインハウジング１１０が非金属材質からなるため、製造コストが減少し、製品の体積及びデザインがコンパクトとなる利点がある。また、補助ハウジング１３０は、両地点に堅固に締結される構造を有するため、金属材質である補助ハウジング１３０は、耐久性を向上させると共に接地も行う。
【００５２】
以上の説明によって、当業者であれば、本発明の技術思想を脱しない範囲で様々な変更及び修正が可能であることが分かるはずであり、本発明の技術的範囲は、実施形態に記載した内容に限定されるものではなく、特許請求の範囲及びそれと均等な範囲によって定めなければならない。
【符号の説明】
【００５３】
１００       電動機駆動装置
１１０        メインハウジング
１１１        露出部
１１２        締結溝
１１３        通気孔
１１４       コントロールパネル
１１５       端子台
１１６        ＩＯボード
１１７        ＩＯカバー締結孔
１１８        第１の結合孔
１１９        強度補強溝
１２０        ＩＯカバー
１３０        補助ハウジング
１３１        側面部
１３１ａ      第２の結合孔
１３１ｂ      第１の開口面
１３１ｃ      第２の開口面
１３２        一対のブラケット
１３３        底部
１３３ａ      第４の結合孔
１３４        第１のキャップ
１３５        第２のキャップ
１３６        第１の折曲面
１３７       第２の折曲面
１４０        強度補強片
１４１        第３の結合孔
１５０        接地ワイヤ
【図１】
2019134666.tif 000004
【図２】
2019134666.tif 000005
【図３】
2019134666.tif 000006
【図４】
2019134666.tif 000007
【図５】
2019134666.tif 000008
【図６】
2019134666.tif 000009